(57)【要約】      （修正有）【課題】板状体、自動車、Ｔシャツ、トートバッグ及びジーンズ等の各種の表面に字体を紋切りしてローマ文字及び番号数字を塗着するステンシルシートを提供する。【解決手段】ステンシルシート本体１は、各種形状の表面部２の色彩と、裏面部との色彩とを各々別色の色彩を以って構成し、且つステンシルシート本体には、ローマ文字６の２６文字と、番号数字の０乃至９との各々に紋切り線５を形成する。また、該ステンシルシート本体には、ローマ文字中のＡ、Ｉ、Ｕ、Ｅ、Ｏの各々の文字を複数枚以上形成し、更に、ローマ文字と番号数字とに列設されている０文字との形状を同一形状に形成する。【選択図】図１
0003174966.tif 000002
【実用新案登録請求の範囲】
【請求項１】
方形状に形成されたステンシルシート本体（１）（１）…には、表面部（２）の色彩と、裏面部（３）の色彩とを各々異なる色彩に構成し、且つ該ステンシルシート本体（１）（１）には、ローマ文字（６）の２６文字と、番号数字（７）の０乃至９との各々の表面に紋切り線（５）を形成した事を特徴としたステンシルシート。
【請求項２】
請求項１におけるステンシルシート本体（１）には、該ローマ文字（６）（６）の２６文字中のＡ、Ｉ、Ｕ、Ｅ、Ｏとの５字の文字を複数枚以上形成した事を特徴とする請求項１記載のステンシルシート。
【請求項３】
請求項１におけるステンシルシート本体（１）には、該ローマ文字（６）（６）と番号数字（７）（７）との内部に列設されている０文字を該ローマ文字（６）（６）と該番号数字（７）（７）とに設けた該０文字との形状とを各々同一形状に構成した事を特徴とした請求項１記載のステンシルシート。
【考案の詳細な説明】
【技術分野】
【０００１】  本考案は、板状体、自動車、Ｔシャツ、トートバッグ及びジーンズ等に対して、各種の文字等を切り抜きした状態で塗写するためのステンシルシートに関するものである。
【背景技術】
【０００２】  従来この種のステンシルシートは、紙製の表裏両面を同一の色彩を以って製作されている。そのため、多数のステンシルシートを配列する際には、表面側と裏面側との正しい位置を間違えて、裏面側を正面として配置する事が多々存在するため、大変に作業が面倒で手間が掛かると云う問題点を有していた。
【考案の概要】
【考案が解決しようとする課題】
【０００３】  本考案は、上記従来における問題点を解決するもので、その目的とする所は、ステンシルシートの表裏面を明確にするために色彩を鮮明に異なる色彩を使用したもので、ステンシルシートの配列及び塗着作業を著しく敏速、且つ鮮明に出来るようにしたものである。また、ローマ文字中の非常に多数使用される母音のＡ、Ｉ、Ｕ、Ｅ、Ｏとの５字を複数枚以上形成し、且つ、ローマ文字のＯ文字と番号数字の０文字を同一形状に形成して、利用に大変便利としたステンシルシートを提供しようとするものである。
【課題を解決するための手段】
【０００４】  上記目的を達成するために、本考案のステンシルシートは、各種の方形状に形成され、各々にローマ文字の２６文字と、番号数字の０乃至９に各々紋切り線を刻設する。
そして、該ステンシルシートは、表面部側の色彩と裏面部側の色彩を互いに異色の色模様に構成してなるものである。
また、該ステンシルシート本体は、該ローマ文字の２６文字中のＡ、Ｉ、Ｕ、Ｅ、Ｏとの各々の文字を少なくとも複数枚以上を形成したものである。
更に、このステンシルシート本体における内部に設けた該ローマ文字のＯ文字の記載と、番号数字中の０文字の記載形状を同一形状に構成したものである。
【考案の効果】
【０００５】  本考案は、以上説明したように構成されているので、請求項１のステンシルシートにおいては、表面部と裏面部とを各々色彩を異色とした事により、使用に対して表裏の区別を間違える事がないと共に、作業が従来のものより著しく敏速に出来る優れた効果がある。
また、請求項２におけるローマ文字の２６文字におけるＡ、Ｉ、Ｕ、Ｅ、Ｏの文字を複数枚以上形成したので、ステンシルシートの使用回数が多いために大変に使用が便利である効果がある。
更に、ステンシルシートに設けたローマ文字中のＯ文字と、番号数字中の０文字とを各々同一形状に形成したので、ステンシルシートの使用に対して、何れのＯ文字を使用できると云う大変に便利となる実用的な効果がある。また、本考案は、ステンシルの形状をＳ、Ｍ、Ｌの３種類の大きさに形成してある。
【図面の簡単な説明】
【０００６】
【図１】  本考案のステンシルシートのローマ文字に紋切り線を設けた斜面図である。
【図２】  同じく本考案の図１に示したローマ文字を反転した斜面図である。
【図３】  同じく本考案のステンシルシートの図１の他のローマ文字に紋切り線を設けた斜面図である。
【図４】  同じく本考案の図３に示すステンシルシートの反転した斜面図である。
【図５】  本考案のステンシルシートの番号数字に紋切り線を設けた斜面図である。
【図６】  同じく本考案の図５を反転した斜面図である。
【図７】  本考案の図６に示す番号数字に紋切り線を設けた斜面図である。
【図８】  同じく本考案の図７に示した番号数字を反転した斜面図である。
【考案を実施するための形態】
【０００７】  上記のように構成されたステンシルシートの使用する状態を説明すると、板状体、Ｔシャツ、トートバッグ及びジーンズ等に対してローマ文字、番号数字のステンシルシートを組み合せて並べ揃えて、剥離容易なテープで貼り付けて各種の色の絵の具を以ってその上から塗着する。また、スプレーで塗装しない部分は新聞等で覆い隠して下を汚さないようにするものである。その後、表面が乾燥するのを待ってステンシルシートを剥離するものである。
【実施例】
【０００８】  次に、本考案の実施例を図面について説明すると、図１乃至図４において、方形状の形成されているステンシルシート本体（１）は、表面部（２）の色彩と、裏面部（３）の色彩とを各々別色の色彩を以って構成されている。
該ステンシルシート本体（１）の表裏には、該表面部（２）と該裏面部（３）とより、該表面部（２）のローマ文字（６）（６）の２６文字中のＡ、Ｚを紋切り線（５）（５）…を以って型抜き状態に形成されているものである。
次に、図６乃至図８に示す実施例では、ステンシルシート本体（１）の表裏を示したもので、表面部（２）と裏面部（３）とに対して、該表面部（２）より、番号数字（７）（７）の０乃至９文字中の１、９とに紋切り線（５）（５）…を以って型抜き状態に形成されているものである。
【符号の説明】
【０００９】１          ステンシルシート本体
２          表面部
３          裏面部
５          紋切り線
６          ローマ文字
７          番号数字
【図１】
0003174966.tif 000003
【図２】
0003174966.tif 000004
【図３】
0003174966.tif 000005
【図４】
0003174966.tif 000006
【図５】
0003174966.tif 000007
【図６】
0003174966.tif 000008
【図７】
0003174966.tif 000009
【図８】
0003174966.tif 000010
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
方形状に形成されたステンシルシート本体（１）には、表面部（２）の色彩と、裏面部（３）の色彩とを各々異なる色彩に構成し、且つ前記ステンシルシート本体（１）には、ローマ文字（６）の２６文字と、番号数字（７）の０乃至９との各々の表面に紋切り線（５）を形成した事を特徴としたステンシルシート。
【請求項２】
請求項１における前記ステンシルシート本体（１）には、該ローマ文字（６）の２６文字中のＡ、Ｉ、Ｕ、Ｅ、Ｏとの５字の文字を複数枚以上形成した事を特徴とする請求項１記載のステンシルシート。
【請求項３】
該ローマ文字（６）の内、Ｏ文字および数字（７）の内、０文字を同一形状に構成した事を特徴とした請求項１記載のステンシルシート。
【手続補正２】
【補正対象書類名】明細書
【補正対象項目名】０００８
【補正方法】変更
【補正の内容】
【０００８】  次に、本考案の実施例を図面について説明すると、図１乃至図４において、方形状の形成されているステンシルシート本体（１）は、表面部（２）の色彩と、裏面部（３）の色彩とを各々別色の色彩を以って構成されている。
該ステンシルシート本体（１）の表裏には、該表面部（２）と該裏面部（３）とより、該表面部（２）のローマ文字（６）の２６文字中のＡ、Ｚを紋切り線（５）を以って型抜き状態に形成されているものである。
次に、図５乃至図８に示す実施例では、ステンシルシート本体（１）の表裏を示したもので、表面部（２）と裏面部（３）とに対して、該表面部（２）より、番号数字（７）の０乃至９文字中の１、９とに紋切り線（５）を以って型抜き状態に形成されているものである。